(57)【要約】【課題】  開閉及び回転が可能な表示装置を備えた記録再生装置において、表示装置を記録再生装置の外側に向けて閉じたことを検出した時は、自動的に再生・編集モードに切り替えナビゲーション画面を表示することにより、使い勝手の良い記録再生装置及びコンピュータ・ソフトウエアを提供する。【解決手段】  開閉及び回転動作が可能で、画像データを表示する表示装置４を設け、記録モードと再生・編集モードの２種類の動作モードを有する記録再生装置において、表示装置４の開閉状態を検出する第一手段９と、表示装置の回転状態を検出する第二手段６とを備え、第一手段６及び第二手段９の検出結果に応じた動作モードに切り替える手段を有する。【選択図】        図１
2005150783.tif 000002
【特許請求の範囲】
【請求項１】
開閉及び回転動作が可能で、画像データを表示する表示装置を設け、記録モードと再生・編集モードの２種類の動作モードを有する記録再生装置において、
前記表示装置の開閉状態を検出する第一の検出手段と、前記表示装置の回転状態を検出する第二の検出手段とを備え、前記第一の検出手段及び前記第二の検出手段の検出結果に応じた動作モードに切り替える手段を有することを特徴とする記録再生装置。
【請求項２】
請求項１記載の記録再生装置において、
上記第一の検出手段及び上記第二の検出手段により、上記表示装置が閉じられ、かつ、該表示装置の表示画面が外に向いている状態であることを検出した場合は、再生・編集モードとなることを特徴とする記録再生装置。
【請求項３】
請求項２記載の記録再生装置において、
再生・編集モードに切り替えられたとき、記録手段に記録されている画像データのサムネイル一覧を上記表示装置に表示させる手段を有することを特徴とする記録再生装置。
【請求項４】
請求項１乃至３のいずれか１項に記載の記録再生装置において、
操作者の指示を受けて動作モードを切り替える動作モード切替手段を備えることを特徴とする記録再生装置。
【請求項５】
開閉及び回転動作が可能で、画像データを表示する表示装置を設けるとともに、該表示装置の開閉状態を検出する第一の検出手段と、前記表示装置の回転状態を検出する第二の検出手段とを備え、記録モードと再生・編集モードの２種類の動作モードを有する記録再生装置に使用されるコンピュータ・ソフトウエアであって、
前記第一の検出手段及び前記第二の検出手段の検出結果に応じた動作モードに切り替える機能をコンピュータに実現させるプログラムからなるコンピュータ・ソフトウエア。
【発明の詳細な説明】
【技術分野】
【０００１】
本発明は、記録再生装置及びコンピュータ・ソフトウエアであり、開閉及び回転が可能な表示装置を備えた記録再生装置、例えばビデオカメラに関し、特に表示装置の位置、方向を判断し、動作モードを自動的に切り替える技術に関する。
【背景技術】
【０００２】
近年、記録媒体を内蔵したビデオカメラが普及しており、特に記録媒体としてＤＶＤ（Ｄｉｇｉｔａｌ  Ｖｅｒｓａｔｉｌｅ  Ｄｉｓｃ）を採用したビデオカメラは、多量の画像データを蓄積可能なため特に注目されている。
【０００３】
これら表示装置を設けたビデオカメラでは、表示装置の収納場所が設けてあり、未使用時は表示面が露出しないように表示装置を収納する（閉じる）ことができる。この表示装置は、開閉による収納動作だけではなく、上下方向への回転も可能であり、上方向に１８０度回転させ、反転させることが可能である。表示装置を反転させた状態で収納する（閉じる）ことで、表示装置はビデオカメラ側面に、表示面を露出させた状態となり、収納された状態でも撮影映像、記録済データの再生画面を表示することが可能となっている。
【０００４】
このようなビデオカメラの動作モードには、撮影した画像データをＤＶＤに記録する記録モードと、記録した画像データの再生や削除、タイトル入力などの編集を行う再生・編集モードとがあり、動作モード切替ボタンで切り替えを行うようになっている。表示装置の表示画面の内容は、記録モードでは被写体の画像を表示する。また、再生・編集モードではＤＶＤに記録されている画像データのサムネイル一覧画像（以下、「ナビゲーション画面」と称す）に切り替わり、このナビゲーション画面から希望の画像データを選択することにより再生、編集操作を行うことが可能となっている。
【０００５】
ここで、撮影する場合は、ユーザは表示装置を開き、表示画面を被写体へ向かってカメラを構えるユーザの正面、すなわち、被写体と１８０度反対方向に配置するのが一般的である。一方、再生、編集を行う場合には、上記撮影時の状態から表示装置を以下の手順、１−１から１−２に従い操作する。
１−１．表示装置を上下に反転させ、表示画面を１８０度反転し、ビデオカメラに収納する（閉じる）。これにより、表示装置と再生、編集に使用する操作ボタンが同一面上に並ぶので操作がし易い。
１−２．動作モード切替ボタンを押し、動作モードを記録モードから再生・編集モードに切り替える。これにより、表示画面の内容が撮影映像画面からナビゲーション画面に切り替わる（例えば、特許文献１参照）。
【０００６】
記録媒体としてＤＶＤを使用するビデオカメラの場合、記録済み画像データの再生だけではなく、高速アクセスが可能であることから記録済み画像データの削除、結合などのさまざまな編集作業が容易に可能となるため、編集作業が頻繁に行なわれるようになっている。しかしながら、その場合、上記１−１から１−２の２アクションの操作が必要となっている。
【０００７】
また、操作の簡単化のための従来技術では、レンズカバーを開くことで記録モードとなり、表示装置を開くことにより再生モードとすることができ、動作モード切替ボタンの操作が不要とすることができる（例えば、特許文献２参照）。
【０００８】
また、他の従来技術では、表示装置の開閉状態、反転状態の２種類の状態の検出情報を制御に使用し、表示装置自体の動作状態を切り替えることにより無駄な電力消費を軽減することができる（例えば、特許文献３参照）。
【特許文献１】特開２００３−４６８３４号公報
【特許文献２】特開２００３−０３２５３３号公報
【特許文献３】特開２００２−１５８９００号公報
【発明の開示】
【発明が解決しようとする課題】
【０００９】
上述したように、記録媒体としてＤＶＤを使用するビデオカメラの場合、記録済み画像データの再生だけではなく、高速アクセスが可能であることから記録済み画像データの削除、結合などのさまざまな編集作業が容易に可能となるため、編集作業が頻繁に行なわれるようになっている。しかしながら、上記特許文献１記載の従来技術では、編集作業をするためには、表示装置を回転し閉じた後、動作モード切替ボタンを押して再生・編集モードに切り替えるという２アクションの操作をしなければならず、使い勝手が悪いという問題があった。
【００１０】
また、上記特許文献２記載の従来技術では、表示装置を開くことのみの１アクションによって動作モードを再生モードに入れることができるが、表示装置の開閉状態しか検出しておらず、表示装置が閉じた状態でも回転した状態かどうかを検出し、それにより動作モードを切り替えるということには配慮されていないという問題があった。
【００１１】
また、上記特許文献３記載の従来技術では、表示装置の開閉状態及び反転状態の２種類の状態を検出しているが、表示装置自体の状態を作動状態、待機状態、電源断状態のいずれかに設定するために用いているものであり、その検出情報により動作モードを切り替えるということには配慮されていないという問題があった。
【００１２】
本発明の目的は、開閉及び回転が可能な表示装置を備えた記録再生装置において、表示装置を記録再生装置の外側に向けて閉じたことを検出した時は、自動的に再生・編集モードに切り替えナビゲーション画面を表示することにより、使い勝手の良い記録再生装置を提供することにある。
【課題を解決するための手段】
【００１３】
上記課題を解決するために本発明は、開閉及び回転動作が可能な表示装置を設けた記録再生装置において、前記表示装置の開閉状態を検出する第一の検出手段と、前記表示装置の回転状態を検出する第二の検出手段とを設け、前記第一の検出手段及び前記第二の検出手段の検出結果により動作モードを切り替えることを特徴とする。これにより、表示装置の開閉、反転という２種類の情報を基に記録再生装置の動作モードを自動で切り替えることで、ユーザのボタン操作の負担を軽減し、使い勝手を向上することができる。
【００１４】
さらに、前記第一の検出手段により前記表示装置が閉じられていることを検出しかつ前記第二の検出手段により前記表示装置の回転状態が第一の状態であることを検出した場合は、再生・編集モードとなることを特徴とする。これにより、表示装置を記録再生装置の外側に向けて閉じた場合には、自動的に再生・編集モードに切り替えることにより、編集作業時の使い勝手を向上することができる。
【００１５】
さらに、再生・編集モードに切り替えられたとき、前記表示装置に記録手段に記録されている画像データのサムネイル一覧を表示することを特徴とする。これにより、自動的にナビゲーション画面が表示されるので、さらに編集作業時の使い勝手を向上することができる。
【００１６】
さらに、別に設けた動作モードの切り替え手段により、動作モードを切り替えることが可能であることを特徴とする。これにより、表示装置を記録再生装置の外側に向けて閉じた場合にも、記録モードに切り替えることが可能となり、使い勝手が向上する。
【発明の効果】
【００１７】
本発明によれば、開閉及び回転が可能な表示装置を備えた記録再生装置において、表示装置を記録再生装置の外側に向けて閉じたことを検出した時は、自動的に再生・編集モードに切り替えナビゲーション画面を表示することにより、使い勝手を向上することができる。
【発明を実施するための最良の形態】
【００１８】
本発明を実施するための最良の形態を説明する。
本発明の記録再生装置は、開閉及び回転動作が可能で、画像データを表示する表示装置を設け、記録モードと再生・編集モードの２種類の動作モードを有し、表示装置の開閉状態を検出する第一の検出手段と、表示装置の回転状態を検出する第二の検出手段とを備え、第一の検出手段及び前記第二の検出手段の検出結果に応じた動作モードに切り替える手段を有する。以下、本発明の記録再生装置の一実施形態であるビデオカメラについて、図１から図５を用いて説明する。
【００１９】
図１から図４は本発明の実施形態であるビデオカメラの外観図であり、図１は撮影時の形態である表示装置を開いた状態のビデオカメラを斜め後方より示した斜視図、図２は表示装置を回転した状態のビデオカメラを斜め前方より示した斜視図、図３は再生・編集時の形態である表示装置を外側に向けて閉じた状態のビデオカメラを左真横から示した図、図４は表示装置を内側に向けて閉じた状態のビデオカメラを左真横から示した図である。図１から図４を用いて本ビデオカメラの使用形態を説明する。
【００２０】
実施形態のビデオカメラは、図１、図２に示すように、撮影、記録、記録済画像データの再生に必要な手段を内蔵したカメラ本体１、カメラ本体１の電源をＯＮ／ＯＦＦするための電源ボタン２、動作モードが記録モードにある場合に記録手段へ画像データを記録する時の記録の開始及び停止を行うための記録開始ボタン３、撮影映像または記録済画像データの再生画像が表示可能な表示装置４と表示画面５、表示装置４の上下の回転方向、角度を検出することのできる表示装置回転検出器６、再生及び編集に使用する再生編集用ボタン部７、ユーザが任意の時点で動作モードを切り替える場合に使用する動作モード切替ボタン８、表示装置４のカメラ本体１に対する開閉状態を検出する表示装置開閉検出器９、表示装置４を収納する表示装置収納部１０、表示画面５と同じく、撮影映像、記録済み画像データの再生などを表示可能なファインダー１１を備える。
【００２１】
電源スイッチ２は、カメラ本体１すべてに供給される電源の制御をつかさどる。表示装置４は表示画面５を支持する筐体部分であり、カメラ本体１と開閉及び回転が可能な構造となっており、カメラ本体１に設けられた表示装置収納部１０に対して開閉動作を行うことが可能である。表示装置４は、カメラ本体１から略９０度開かれ、表示装置４の方向がカメラ本体１に対して真後ろを向く状態を基準位置とし、基準位置から上方向へ１８０度以上回転することができる。表示装置回転検出器６は、表示装置４が基準位置から上方向に９０度以上回転している場合ＯＮ状態となるようになっている。表示装置開閉検出器９は、表示装置４が閉じられて表示装置収納部１０に収納されている場合ＯＮ状態となる。これら、表示装置４の状態を検出する表示装置回転検出器６と表示装置開閉検出器９の検出信号の組み合わせによって、表示画面５に表示される画面の切り替えを行う。尚、ここで、表示装置回転検出器５がＯＮ状態となる角度は９０度以上でなくても構わない。例えば１２０度以上としても良い。
【００２２】
図１は、撮影映像の記録を行う際、もっとも一般的にとられる使用形態（以後、「形態１」とする）であり、カメラ本体１から表示装置４を開き表示装置４がカメラ本体から略９０度開かれ、表示画面５は撮影方向とは逆のカメラ後方に向けられている。ユーザはカメラ後方からカメラを右手で持ち、右手で電源ボタン２により本カメラの電源を投入する。この時、表示装置回転検出器６は角度が９０度未満であるのでＯＦＦ状態、表示装置開閉検出器９は開いているのでＯＦＦ状態という組み合わせとなる。この組み合わせになる時は撮影に用いられる形態であると判断し、形態１の場合、動作モードは記録モードに設定され、記録開始ボタン３を押すことで記録を開始することとなる。
【００２３】
図１の形態１から、表示装置４を上方向に略１８０度反転させた使用形態（以後、「形態２」とする）が図２である。撮影方向と表示画面の向きが同一方向となっており、ユーザが自らを撮影する場合に用いられる形態である。この時、表示装置回転検出器６は角度が９０度以上であるのでＯＮ状態、表示装置開閉検出器９は開いているのでＯＦＦ状態という組み合わせとなる。この組み合わせになる時は撮影に用いられる形態であると判断し、形態２の場合、動作モードは記録モードに設定されたままであり、その後記録開始ボタン３を押すことで記録を開始することとなる。
【００２４】
図２の形態２の状態から表示装置４を閉じ表示装置収納部１０に収納し、表示画面５とカメラ本体１とが背面し、表示画面５が露出した状態にあり、表示画面５と再生編集用ボタン部７とが略同一面上に並ぶ使用形態（以後、「形態３」とする）が図３である。この形態３の場合、再生編集用ボタン部７が表示画面５の右側に配置されることとなり、表示画面５を見ながら再生編集用ボタン部７を操作する上で、もっとも適した形態である。この時、表示装置回転検出器６は角度が９０度以上であるのでＯＮ状態、表示装置開閉検出器９は閉じているのでＯＮ状態という組み合わせである。この組み合わせになる時は再生及び編集のための形態であると判断し、形態３の場合、動作モードは自動的に記録モードから再生・編集モード（以下、「再生モード」という）に切り替わる。同時に、表示画面５にはナビゲーション画面が表示されるので、ユーザは希望の画像データを選択し再生または編集操作を行うことができ、使い勝手が向上する。
【００２５】
また、図１で示した形態１の状態から表示装置４を閉じ表示装置収納部１０に収納された状態、すなわち、形態３とは違い表示画面５が隠れ、表示内容を見ることが出来ない状態（以後、「形態４」とする）が図４である。この形態時には、表示画面５の電源をＯＦＦにし、省電力を図っている。ここで、表示画面５に表示されるべき内容は、ファインダー１１に表示されている。この時、表示装置回転検出器６は角度が９０度以下であるのでＯＦＦ状態、表示装置開閉検出器９は閉じているのでＯＮ状態という組み合わせである。この組み合わせになる時は撮影のための形態であると判断し、形態４の場合、動作モードは形態１に従い記録モードに設定されたままであり、その後記録開始ボタン３を押すことで記録を開始することとなる。
【００２６】
次に、上述した使用形態、動作モード、表示装置回転検出器６の状態、表示装置開閉検出器９の状態の関係を図５により説明する。図５は形態１、２、３、４とそれぞれの使用形態で選択される動作モードの関係を示す選択図を示す。形態１では表示装置回転検出器６はＯＦＦ（非反転）、表示装置開閉検出器９はＯＦＦ（開）であるので記録モードに設定され、形態１から表示装置４を反転すると形態２となる。この間に表示装置回転検出器６はＯＦＦからＯＮへと切り替わり、表示装置開閉検出器９はＯＦＦを維持する。形態２では表示装置回転検出器６はＯＮ（反転）、表示装置開閉検出器９はＯＦＦ（開）であるので記録モードであり、形態１から形態２の間は記録モードが維持される。形態２で表示装置４を閉じると形態３となり、表示装置回転検出器６はＯＮ（反転）、表示装置開閉検出器９はＯＮ（閉）であるので動作モードは記録モードから再生モードへと自動的に切り替わる。この動作モードの切り替えは表示装置開閉検出器９がＯＦＦからＯＮに切り替わることで行われる。この時、表示装置回転検出器６はこの間ＯＮのままである。ここで、形態３から形態２へ移行する時はこの逆であり、表示装置開閉検出器９がＯＮからＯＦＦへ切り替わるタイミングで再生モードから記録モードへと自動的に切り替わる。また、形態１から表示装置４を閉じると、形態４となる。形態４では表示装置回転検出器６はＯＦＦ（非反転）、表示装置開閉検出器９はＯＮ（閉）であるので記録モードであるため、形態１から形態４の間は記録モードを維持する。この間表示装置回転検出器６はＯＦＦのままであるが、表示装置開閉検出器９はＯＦＦからＯＮへと切り替わる。
【００２７】
さらに、本実施例では、動作モード切替ボタン８を押すことにより、図１から図４の使用形態によらず、形態３のときでも任意の時点で動作モードの切り替えを行う事が可能としている。動作モード切替ボタン８を１度押すとその時点で選ばれていない動作モードに切り替わる。その後動作モード切替ボタン８を押すたびに、動作モードは記録モードと再生モードとの間で交互に切り替わる。動作モード切替ボタン８により選択した動作モードは、動作モード切替ボタン８を再度押す、または、形態４にする、または、図５に示されている形態と表示装置回転検出器６と表示装置開閉検出器９との関係にすることによりリセットされ、通常の図５の関係に戻る。例えば、形態１の時点で動作モード切替ボタン８を１回押すと再生モードとなる。この場合、動作モード切替ボタン８を再度押す、もしくは形態４とすることで記録モードに切り替わり、動作モードは図５に示される関係に従った動作に戻る。しかし、形態１から形態２へ移行しても動作モードへは切り替わらず再生モードを維持する。形態３となった時動作モード切替ボタン８で選択した動作モード（再生モード）と図５の関係が等しくなり、切替ボタン８での選択はリセットされ、動作モードは図５に示される関係に従った動作に戻り、次に形態３から形態２に移行する時には記録モードになる。
【００２８】
実施形態の記録再生装置におけるサムネイル表示の一例について、図６を用いて説明する。入力部２５は記録媒体２８である光ディスクの記録、再生や各種入力操作の際に使用する電源ボタン２、記録開始ボタン３、再生編集用ボタン部７、動作モード切替ボタン８などの操作ボタンを有している。撮像素子２１からの映像信号は、映像信号処理部２２でデジタル信号に変換するとともに各種の信号処理がなされ、デジタル映像圧縮部２３で処理されてデジタル映像信号の圧縮データが生成される。この圧縮データや各種のデータは、記録処理部２４で記録するための処理がなされた後、再生処理部２９に供給される。再生処理部２９で処理された圧縮データは、デジタル映像伸長部３１でデジタル映像信号に伸長され、映像信号処理部３２でアナログ変換されるとともに各種の信号処理がなされて表示部３３に供給され、この表示部３３に撮像素子２１の撮影画像が表示される。このとき、入力部２５によって記録操作が行なわれているときには、記録処理部２４からの圧縮データは光ディスク２８にも供給され、光ディスク２８に記録される。
【００２９】
入力部２５で再生操作がなされたときには、制御部２６によって光ディスク２８の再生が行なわれる。光ディスク２８から再生された圧縮データは、再生処理部２９，デジタル映像伸長部３１及び映像信号処理部３２で処理された後、表示部２３に供給されて再生画面が表示される。
【００３０】
制御部２６は、表示装置回転検出器６と表示装置開閉検出器９による表示装置４の回転方向、角度の検出と開閉状態の検出により動作モードを再生・編集モード又は記録モードとなるよう制御する。また、制御部２６には、ディスク判別部２７が設けられており、装着された光ディスク８の種類の判別等が行なわれる。制御部２６の制御のもとに、光ディスク２８から画像データや各種認識情報，管理情報などが再生処理部２９に再生され、サムネイル画面データ生成部３０で再生処理部２９で得られた画像データまたは各種認識情報からサムネイル画像のデータが抽出され、サムネイル画像一覧表示用のサムネイル画像データが作成される。このサムネイル画像データは映像信号データ処理部３２に供給されてアナログ変換されるとともに、各種の信号処理がなされてサムネイル画像一覧表示用のナビ画面が形成され、表示部３３に供給される。
【００３１】
なお、上記実施形態では記録再生装置を説明したが、開閉及び回転動作が可能で、画像データを表示する表示装置を設けるとともに、表示装置の開閉状態を検出する第一の検出手段と、表示装置の回転状態を検出する第二の検出手段とを備え、記録モードと再生・編集モードの２種類の動作モードを有する記録再生装置に使用されるコンピュータ・ソフトウエアであって、第一の検出機能及び第二の検出機能の検出結果に応じた動作モードに切り替える機能をコンピュータに実現させるプログラムを使用することにより、従来の記録再生装置を本発明の記録再生装置とすることができる。
【図面の簡単な説明】
【００３２】
【図１】実施形態のビデオカメラにおける、撮影時の形態である表示装置を開いた状態を左斜め後方から示した斜視図。
【図２】実施形態のビデオカメラにおける、表示装置を回転した状態を左斜め前方から示した斜視図。
【図３】実施形態のビデオカメラにおける、再生・編集時の形態である表示装置を外側に向けて閉じた状態を左真横から示した図。
【図４】実施形態のビデオカメラにおける、表示装置を内側に向けて閉じた状態を左真横から示した図。
【図５】実施形態のビデオカメラの形態、動作モード、表示装置の状態検出器の関係を示した図。
【図６】実施形態のビデオカメラにおけるサムネイル表示を行う際の説明図。
【符号の説明】
【００３３】
１  カメラ本体
２  電源ボタン
３  記録開始ボタン
４  表示装置
５  表示画面
６  表示装置回転検出器
７  再生編集用ボタン部
８  動作モード切替ボタン
９  表示装置開閉検出器
１０  表示装置収納部
１１  ファインダー
２１  撮像素子
２２  映像信号処理部
２３  デジタル映像圧縮部
２４  記録処理部
２５  入力部
２６  制御部
２７  ディスク判別部
２８  外部記録媒体
２９  再生処理部
３０  サムネイル画面データ生成部
３１  デジタル映像伸張部
３２  映像信号データ処理部
３３  表示部
【図１】
2005150783.tif 000003
【図２】
2005150783.tif 000004
【図３】
2005150783.tif 000005
【図４】
2005150783.tif 000006
【図５】
2005150783.tif 000007
【図６】
2005150783.tif 000008